(57)【要約】    【課題】      ＥＮＵＭサーバに登録されたＩＰ端末装置のＮＡＰＴＲレコードを利用して、発信側と着信側の各ＩＰ端末装置の通信機能を照合し、発信側のＩＰ端末装置に選択可能な通信機能を明示すること。    【解決手段】  ＣＰＵ２０１は、他のＩＰ端末１０２への発呼に際して、ＩＰネットワーク制御部２１０を制御してＥＮＵＭサーバ１０３から発呼先ＩＰ端末のＮＡＰＴＲレコードを取得する取得処理と、このＮＡＰＴＲレコードに設定された発呼先ＩＰ端末１０２の通信機能に基づいて、自装置の通信機能に対応する通信機能が設定されているか否かを判別する判別処理と、発呼先ＩＰ端末１０２に設定されていると判別した１つ又は複数の通信機能を表示部２０６に表示する表示処理と、を実行する機能を有する。  【選択図】      図２
2006109086.tif 000002
【特許請求の範囲】
【請求項１】
ＥＮＵＭサーバとＩＰネットワークを介して接続されるＩＰ端末装置であって、
各種通信機能に対応する複数の通信制御プログラムを記憶する記憶手段と、
発呼に際して、前記ＥＮＵＭサーバから発呼先ＩＰ端末装置の端末情報を取得する取得手段と、
前記取得手段により取得した端末情報に基づいて、自装置の通信機能に対応する通信機能が前記発呼先ＩＰ端末装置に設定されているか否かを判別する判別手段と、
前記判別手段により前記発呼先ＩＰ端末装置に設定されていると判別した１つ又は複数の通信機能を表示する表示手段と、
前記表示手段に表示した通信機能に対応する操作が行われると、該通信機能に対応する前記通信制御プログラムに基づいて前記発呼先ＩＰ端末装置との間の通信を制御する通信制御手段と、
を具備することを特徴とするＩＰ端末装置。
【請求項２】
前記判別手段は、前記発呼先ＩＰ端末装置に設定されていると判別した１つ又は複数の通信機能毎に有効であることを示す有効情報を前記記憶手段に記憶し、
前記表示手段は、前記記憶手段に記憶された有効情報に基づいて、１つ又は複数の通信機能を表示することを特徴とする請求項１記載のＩＰ端末装置。
【請求項３】
前記通信制御手段は、前記表示手段に表示した複数の通信機能から第１の通信機能に対応する操作が行われると、当該第１の通信機能に対応する前記通信制御プログラムに基づいて前記発呼先ＩＰ端末装置との間の第１の通信を制御し、続いて、前記複数の通信機能から第２の通信機能に対応する操作が行われると、当該第２の通信機能に対応する前記通信制御プログラムに基づいて前記発呼先ＩＰ端末装置との間の第２の通信を制御することを特徴とする請求項１記載のＩＰ端末装置。
【請求項４】
前記判別手段は、前記通信機能毎の有効情報を前記取得手段により取得した前記発呼先ＩＰ端末装置の端末情報と対応付けて前記記憶手段に保存することを特徴とする請求項２記載のＩＰ端末装置。
【請求項５】
前記判別手段は、前記表示手段に表示した通信機能が実行された後、前記記憶手段に記憶した端末情報と有効情報を削除することを特徴とする請求項２記載のＩＰ端末装置。
【発明の詳細な説明】
【技術分野】
【０００１】
本発明は、ＩＰ端末装置に関し、特に、ＥＮＵＭサーバを利用するＩＰ端末装置に関する。
【背景技術】
【０００２】
近年、インターネットの急速な普及に伴い、遠隔地の電話装置と低料金での通話や登録会員同士のＩＰ電話装置間で無料通話が可能なＩＰ電話システムが注目されている。また、インターネットを利用したサービスやインターネット上のリソースと電話番号を結びつけるプロトコルとして、ＩＥＴＦ(Internet Engineering Task Force )やＩＴＵ−Ｔ（International Telecommunication Union-Telecommunication Standardization Sector）などで検討が進められているＲＦＣ２９１６（非特許文献１）で規定される「ＥＮＵＭ（tElephone Number Mapping）」プロトコルがある。
【０００３】
この「ＥＮＵＭ」プロトコルは、ＩＴＵ−Ｔで定められたＥ．１６４の体系に合うよう変換された電話番号を元に、ＤＮＳ（Domain Name System）の仕組みを利用してそれをＩＰアドレス、もしくはＵＲＩ(Uniform Resource Identifier )を検索できるようにするものである。
【０００４】
また、ＥＮＵＭプロトコルに対応するＩＰ端末装置では、ＩＰ電話機能だけではなく、ファクシミリ機能やメール機能等の複数の通信機能を搭載し、更に、プリンタやスキャナ等の機能を搭載した、複合機と呼ばれるものも提供されている。
【非特許文献１】ＥＮＵＭトライアルジャパン発行「ＥＮＵＭトライアルジャパン第一次報告書」、２００４年５月
【発明の開示】
【発明が解決しようとする課題】
【０００５】
しかしながら、複合機と呼ばれるＩＰ端末装置では、複合機同士で通信を行う場合に以下のような問題があった。
【０００６】
複合機同士が通信を行う場合は、ＩＰ電話機能、ファクシミリ機能及びメール機能を任意に選択して通信することが可能であるが、双方のＩＰ端末装置が全ての通信機能を搭載しているとは限らない。このため、送信側の複合機のユーザが、受信側の複合機が搭載していない通信機能を選択してしまうと通信不可能となり、選択可能な受信側の複合機の通信機能を判別するまでに手間がかかるという問題があった。
【０００７】
本発明はかかる点に鑑みてなされたものであり、ＥＮＵＭサーバに登録されたＩＰ端末装置のＮＡＰＴＲレコードを利用して、発信側と着信側の各ＩＰ端末装置の通信機能を照合し、発信側のＩＰ端末装置に選択可能な通信機能を明示するＩＰ端末装置を提供することを目的とする。
【課題を解決するための手段】
【０００８】
本発明は、ＥＮＵＭサーバとＩＰネットワークを介して接続されるＩＰ端末装置であって、各種通信機能に対応する複数の通信制御プログラムを記憶する記憶手段と、発呼に際して、前記ＥＮＵＭサーバから発呼先ＩＰ端末装置の端末情報を取得する取得手段と、前記取得手段により取得した端末情報に基づいて、自装置の通信機能に対応する通信機能が前記発呼先ＩＰ端末装置に設定されているか否かを判別する判別手段と、前記判別手段により前記発呼先ＩＰ端末装置に設定されていると判別した１つ又は複数の通信機能を表示する表示手段と、前記表示手段に表示した通信機能に対応する操作が行われると、該通信機能に対応する前記通信制御プログラムに基づいて前記発呼先ＩＰ端末装置との間の通信を制御する通信制御手段と、を具備する構成を採る。
【発明の効果】
【０００９】
本発明に係るＩＰ端末装置によれば、発呼元ＩＰ端末装置のユーザは、発呼先ＩＰ端末装置の通信機能を調べる手間を省略することができ、誤った通信機能を選択するといった事態を防止することができる。
【発明を実施するための最良の形態】
【００１０】
本発明の第１の態様に係るＩＰ端末装置は、ＥＮＵＭサーバとＩＰネットワークを介して接続されるＩＰ端末装置であって、各種通信機能に対応する複数の通信制御プログラムを記憶する記憶手段と、発呼に際して、前記ＥＮＵＭサーバから発呼先ＩＰ端末装置の端末情報を取得する取得手段と、前記取得手段により取得した端末情報に基づいて、自装置の通信機能に対応する通信機能が前記発呼先ＩＰ端末装置に設定されているか否かを判別する判別手段と、前記判別手段により前記発呼先ＩＰ端末装置に設定されていると判別した１つ又は複数の通信機能を表示する表示手段と、前記表示手段に表示した通信機能に対応する操作が行われると、該通信機能に対応する前記通信制御プログラムに基づいて前記発呼先ＩＰ端末装置との間の通信を制御する通信制御手段と、を具備する構成を採る。
【００１１】
この構成によれば、発呼元ＩＰ端末装置のユーザは、発呼先ＩＰ端末装置の通信機能を調べる手間を省略することができ、誤った通信機能を選択するといった事態を防止することができる。
【００１２】
本発明の第２の態様は、第１の態様に係るＩＰ端末装置において、前記判別手段は、前記発呼先ＩＰ端末装置に設定されていると判別した１つ又は複数の通信機能毎に有効であることを示す有効情報を前記記憶手段に記憶し、前記表示手段は、前記記憶手段に記憶された有効情報に基づいて、１つ又は複数の通信機能を表示する構成を採る。
【００１３】
この構成によれば、発呼元ＩＰ端末装置において、発呼元ＩＰ端末装置と発呼先ＩＰ端末装置の双方に設定されている通信機能の表示制御を容易にすることができ、その表示制御負担を軽減することができる。
【００１４】
本発明の第３の態様は、第１の態様に係るＩＰ端末装置において、前記通信制御手段は、前記表示手段に表示した複数の通信機能から第１の通信機能に対応する操作が行われると、当該第１の通信機能に対応する前記通信制御プログラムに基づいて前記発呼先ＩＰ端末装置との間の第１の通信を制御し、続いて、前記複数の通信機能から第２の通信機能に対応する操作が行われると、当該第２の通信機能に対応する前記通信制御プログラムに基づいて前記発呼先ＩＰ端末装置との間の第２の通信を制御する構成を採る。
【００１５】
この構成によれば、発呼元ＩＰ端末のユーザは、第１の通信から第２の通信に容易に移行することができ、第１の通信から第２の通信に移行する際の手間を軽減することができる。
【００１６】
本発明の第４の態様は、第２の態様に係るＩＰ端末装置において、前記判別手段は、前記通信機能毎の有効情報を前記取得手段により取得した前記発呼先ＩＰ端末装置の端末情報と対応付けて前記記憶手段に保存する構成を採る。
【００１７】
この構成によれば、同一の発呼先ＩＰ端末装置に再度発呼する際に、保存した有効情報に基づいて直ちに通信機能を表示することができ、ＥＮＵＭサーバから端末情報を取得する処理を再度実行することを省略することも可能である。
【００１８】
本発明の第５の態様は、第２の態様に係るＩＰ端末装置において、前記判別手段は、前記表示手段に表示した通信機能が実行された後、前記記憶手段に記憶した端末情報と有効情報を削除する構成を採る。
【００１９】
この構成によれば、記憶手段の記憶領域を端末情報と有効情報によって占有することなく、有効に利用することが可能になる。
【００２０】
以下、本発明の実施の形態について図面を参照して詳細に説明する。
【００２１】
図１は、本実施の形態１のＩＰ電話システムの全体構成を示す図である。図１において、ＩＰ通信システム１００は、ＩＰ端末装置（以下、ＩＰ端末という）１０１，１０２と、ＥＮＵＭサーバ１０３と、ＤＮＳサーバ１０４と、ＷＥＢサーバ１０５がＩＰ網１０６を介して相互に接続されている。
【００２２】
ＩＰ端末１０１（１０２）は、ＩＰ電話機能、ファクシミリ機能及びメール機能等の複数の通信機能と、プリンタやスキャナ等の機能を搭載した複合機である。ＩＰ端末１０１（１０２）は、ＩＰ電話機能によりＩＰ網１０６を介して他のＩＰ電話との間で音声通話を行い、ファクシミリ機能及びメール機能によりＩＰ網１０６を介して他の複合機との間でファクシミリ通信やメール通信を行う。
【００２３】
ＥＮＵＭ（tElephone Number Mapping）サーバ１０３は、ＮＡＰＴＲ（The Naming Authority Pointer）リソースレコード（以下、ＮＡＰＴＲレコードという）を登録するデータベースを備える。ＥＮＵＭサーバ１０３は、ＩＰ端末１０１（１０２）の問い合わせに応じて、データベースに登録されたＮＡＰＴＲレコードをＩＰ端末１０１（１０２）に返送する。
【００２４】
ＤＮＳ（Domain Name System）サーバ１０４は、ＮＡＰＴＲレコードに指定されるＵＲＩ（Uniform Resource Identifier ）とＩＰアドレスとが対応付けて登録されるデータベースを備える。ＤＮＳサーバ１０４は、ＩＰ端末１０１（１０２）の問い合わせに応じて、データベースに登録されたＩＰアドレスをＩＰ電話１０１（１０２）に返送する。
【００２５】
ＷＥＢサーバ１０５は、ＨＴＭＬ（HyperText Markup Language ）文書や画像などの情報を蓄積しておき、ＷＥＢブラウザなどのクライアントソフトウェアの要求に応じて、ＩＰ網１０６を通じて、これらの情報をＩＰ端末１０１（１０２）に送信する。
【００２６】
図２は、本実施の形態のＩＰ端末１０１の構成を示すブロック図である。図２において、ＩＰ端末１０１は、ＣＰＵ２０１、ハンドセット２０２、キー入力部２０３、ＲＡＭ２０４、ＦＲＯＭ２０５、表示部２０６、読取部２０７、記録部２０８、ＩＰネットワーク制御部２１０及びＰＳＴＮ制御部２１１が接続された外部Ｉ／Ｆ選択部２０９がバス２１２を介して相互に接続されて構成されている。なお、ＩＰ端末１０２もＩＰ端末１０１と同様の構成を有する。
【００２７】
ＣＰＵ（Central Processing Unit ）２０１は、ＦＲＯＭ２０５に記憶されたＩＰ電話制御プログラム、ファクシミリ通信制御プログラム、メール制御プログラムに基づいて、ＩＰ網１０６を介して他のＩＰ端末との間で、ＩＰ電話、ファクシミリ通信、メール通信を行う際に必要となる全ての動作を制御する。従って、ＣＰＵ２０１は、ＳＩＰ（Session Initiation Protocol ）やＨ．３２３に代表される呼制御プロトコルに従って、宛先ＩＰ端末との間の呼制御を実行する。また、ＣＰＵ２０１は、表示部２０６、外部Ｉ／Ｆ選択部２０９、ＩＰネットワーク制御部２１０及びＰＳＴＮ制御部２１１に必要な指示を与える。
【００２８】
また、ＣＰＵ２０１は、他のＩＰ端末１０２への発呼に際して、ＩＰネットワーク制御部２１０を制御してＥＮＵＭサーバ１０３から発呼先ＩＰ端末１０２のＮＡＰＴＲレコードを取得する取得処理と、このＮＡＰＴＲレコードに設定された発呼先ＩＰ端末１０２の通信機能に基づいて、自装置の通信機能に対応する通信機能が設定されているか否かを判別する判別処理と、設定されていると判別した１つ又は複数の通信機能を表示部２０６に表示する表示処理と、を実行する機能を有する。
【００２９】
また、ＣＰＵ２０１は、設定されていると判別した１つ又は複数の通信機能毎に発呼先ＩＰ端末に対して有効であることを示すフラグ情報（有効情報）を取得したＮＡＰＴＲレコードと対応付けてＲＡＭ２０４に記憶する。なお、ＣＰＵ２０１は、取得手段、判別手段及び通信制御手段として機能する。
【００３０】
ハンドセット２０２は、ユーザによるオフフック操作又はオンフック操作に応じてオフフック信号又はオンフック信号をＣＰＵ２０１に出力する。また、ハンドセット２０２は、マイクとスピーカを備え、宛先ＩＰ端末との間の通話開始時にユーザの送話音声をマイクにより送話音声信号に変換してＣＰＵ２０１に出力するとともに、ＣＰＵ２０１から入力される受話音声信号をスピーカにより受話音声として出力する。
【００３１】
キー入力部２０３は、テンキーや各種ファンクションキー等を備え、ユーザによる発呼先ＩＰ端末のダイヤル操作や通信機能の選択操作等に用いられる。
【００３２】
ＲＡＭ（Random Access Memory）２０４は、ＣＰＵ２０１がプログラムを実行する際のワークメモリとして利用される。また、ＲＡＭ２０４は、ＣＰＵ２０１の上記抽出処理により抽出した１つ又は複数の通信機能毎に発呼先ＩＰ端末に対して有効であることを示すフラグ情報（有効情報）を記憶する。
【００３３】
ＦＲＯＭ（Flash Read Only Memory）２０５は、ＩＰ電話制御プログラム、ファクシミリ通信制御プログラム、メール制御プログラム等を記憶する。なお、ＲＡＭ２０４及びＦＲＯＭ２０５は、記憶手段として機能する。
【００３４】
表示部２０６は、液晶パネル等により構成され、ＩＰ端末１０１の現在のステータスを表示するとともに、ＣＰＵ２０１から入力された電話番号、発呼先ＩＰ端末に対して選択可能な通信機能等を表示する。なお、表示部２０６は、表示手段として機能する。
【００３５】
読取部２０７は、原稿読取台（図示せず）にセットされた原稿の画像を読み取り、その読取画像をデジタル画像データに変換してＣＰＵ２０１に送出する。記録部２０８は、ＣＰＵ２０１から入力されるデジタル画像データを記録可能な形態に展開して、記録用紙に記録する。
【００３６】
外部Ｉ／Ｆ選択部２０９は、ユーザにより選択される通信機能（ＩＰ電話、ファクシミリ、メール）によりＣＰＵ２０１から入力される通信機能選択指示に応じて、ＩＰネットワーク制御部２１０とＰＳＴＮ制御部２１１を適宜選択する。また、外部Ｉ／Ｆ選択部２０９は、ＣＰＵ２０１から入力される送信データをＩＰネットワーク制御部２１０又はＰＳＴＮ制御部２１１に出力し、ＩＰネットワーク制御部２１０又はＰＳＴＮ制御部２１１から入力される受信信号をＣＰＵ２０１に出力する。
【００３７】
ＩＰネットワーク制御部２１０は、ＩＰ端末１０１が接続されるＩＰ網１０６とのインターフェース機能と、ＣＰＵ２０１の制御によりＩＰ網１０６を介して他のＩＰ端末との間のＩＰ電話を制御するＩＰ電話制御機能と、ＣＰＵ２０１の制御によりＩＰ網１０６を介して他のＩＰ端末との間のファクシミリ通信を制御するファクシミリ制御機能と、ＣＰＵ２０１の制御によりＩＰ網１０６を介してＷＥＢサーバ１０５にアクセスする機能を有する。
【００３８】
また、ＩＰネットワーク制御部２１０は、ファクシミリ通信に際して、ＣＰＵ２０１から入力されるデジタル画像データをＩＰ網１０６を介して他のＩＰ端末に送信し、他のＩＰ端末からＩＰ網１０６を介してデジタル画像データを受信してＣＰＵ２０１に送出する。
【００３９】
また、ＩＰネットワーク制御部２１０は、キー入力部２０３によるダイヤル入力に応じた発呼に際して、ＣＰＵ２０１の制御によりＥＮＵＭサーバ１０３から発呼先ＩＰ端末のＮＡＰＴＲレコードを取得する上記取得処理を実行する。
【００４０】
ＰＳＴＮ（Public Switched Telephone Networks）制御部２１１は、ＩＰ端末１０１が接続されるＰＳＴＮ網（図示せず）とのインターフェース機能と、ＣＰＵ２０１の制御により他のＰＳＴＮ通信端末との間の通信を制御する通信制御機能を有する。
【００４１】
次に、図１のＩＰ通信システム１００において、ＩＰ端末１０１からＩＰ端末１０２に発呼してＩＰ電話を開始後に、続いて、ＩＰ端末１０２に対してファクシミリ通信を実行するまでの動作について、図４に示すフローチャートを参照して説明する。
【００４２】
なお、図４の動作を説明する前提として、ＥＮＵＭサーバ１０３内のデータベースには、図３に示すＩＰ端末１０２のＮＡＰＴＲレコードが登録済みであるものとする。
【００４３】
同図において、ＩＰ端末１０２の電話番号「０５０１２３４５６７８」から得られるドメイン名「８．７．６．５．４．３．２．１．５．１．８．ｅ１６４．ａｒｐａ」に対してＵＲＩ「“！＾．＊＄！ｓｉｐ：ｉｎｆｏ＠ｓｉｐ．ｄｄｄｄ．ｃｏｍ”“太郎電話”」と、「“！＾．＊＄！ｍａｉｌｔｏ：ｍａｉｌ＠ｊｐ．ｄｄｄｄ．ｃｏｍ”“メール”」と、「“！＾．＊＄！ｍａｉｌｔｏ：ｉｆａｘ＠ｊｐ．ｄｄｄｄ．ｃｏｍ”“ＦＡＸ”」が対応付けられている。
【００４４】
１番目のＵＲＩのＳｅｒｖｉｃｅフィールドにはｓｉｐプロトコルに対応可能であることを示す「Ｅ２Ｕ＋ｓｉｐ」が記述されている。２番目のＵＲＩのＳｅｒｖｉｃｅフィールドにはメールに対応可能であることを示す「Ｅ２Ｕ＋ｍｅｓｓａｇｅ：ｍａｉｌｔｏ」が記述されている。また、３番目のＵＲＩのＳｅｒｖｉｃｅフィールドにはファクシミリに対応可能であることを示す「Ｅ２Ｕ＋ｉｆａｘ」が記述されている。
【００４５】
したがって、本実施の形態のＩＰ端末１０２では、ＩＰ網１０６を介したＩＰ電話機能、メール機能及びファクシミリ通信機能が選択可能であるものとする。
【００４６】
図４において、ＩＰ端末１０１のユーザが、キー入力部２０３からＩＰ端末１０２の電話番号がダイヤル入力されると（ステップＳ４０１）、ＣＰＵ２０１は、そのＩＰ端末１０２のＮＡＰＴＲレコードをＥＮＵＭサーバ１０３から取得する取得処理を実行する（ステップＳ４０２）。
【００４７】
この取得処理において、ＣＰＵ２０１は、ＩＰ通信機能選択指示信号を外部Ｉ／Ｆ選択部２０９に出力してＩＰネットワーク制御部２１０を選択させる。次いで、ＣＰＵ２０１は、ＩＰ端末１０２の電話番号を設定した「ＮＡＰＴＲ問い合わせ」メッセージを外部Ｉ／Ｆ選択部２０９を介してＩＰネットワーク制御部２１０からＥＮＵＭサーバ１０３に送出させる。
【００４８】
ＥＮＵＭサーバ１０３は、ＩＰ端末１０１から「ＮＡＰＴＲ問い合わせ」メッセージを受け付けると、その「ＮＡＰＴＲ問い合わせ」メッセージに設定された電話番号を参照してデータベースから該当するＮＡＰＴＲレコードを読み出す。この場合、該当するＮＡＰＴＲレコードは、図３に示したものである。ＥＮＵＭサーバ１０３は、読み出したＮＡＰＴＲレコードを設定した「ＮＡＰＴＲ応答」メッセージをＩＰ端末１０１に返送する。
【００４９】
ＩＰ端末１０１は、ＥＮＵＭサーバ１０３から送出された「ＮＡＰＴＲ応答」メッセージをＩＰネットワーク制御部２１０により受け付ける。ＩＰネットワーク制御部２１０は、「ＮＡＰＴＲ応答」メッセージを外部Ｉ／Ｆ選択部２０９を介してＣＰＵ２０１に転送する。ＣＰＵ２０１は、ＩＰネットワーク制御部２１０から「ＮＡＰＴＲ応答」メッセージを受け付けると、その「ＮＡＰＴＲ応答」メッセージに設定されたＮＡＰＴＲレコードを取得してＲＡＭ２０４に記憶する。
【００５０】
そして、ＣＰＵ２０１は、ＮＡＰＴＲレコードに設定された図３に示したＵＲＩスキームに基づいて、ＩＰ端末１０２の通信機能と自装置の通信機能を比較して、ＩＰ端末１０２に対して有効な通信機能を抽出する抽出処理として、図４のステップＳ４０３〜ステップＳ４０８を実行する。
【００５１】
ＣＰＵ２０１は、取得したＮＡＰＴＲレコードのＵＲＩスキームに基づいて、自装置のファクシミリ通信機能に対応して、ＩＰ端末１０２にファクシミリ通信機能が有るか否かを判別する（ステップＳ４０３）。この場合、図３に示したＮＡＰＴＲレコードのＵＲＩスキームには、「“！＾．＊＄！ｍａｉｌｔｏ：ｉｆａｘ＠ｊｐ．ｄｄｄｄ．ｃｏｍ”“ＦＡＸ”」が登録されており、ファクシミリ通信機能に対応している。このため、ＣＰＵ２０１は、ＩＰ端末１０２にはファクシミリ通信機能が有ると判別し（ステップＳ４０３：ＹＥＳ）、ファクシミリ通信機能が有効であることを示すフラグ情報として「ＦＡＸ表示ＯＮ」情報を、上記ＮＡＰＴＲレコード対応付けてＲＡＭ２０４に記憶する（ステップＳ４０４）。
【００５２】
また、ＣＰＵ２０１は、ＩＰ端末１０２にはファクシミリ通信機能が無いと判別した場合（ステップＳ４０３：ＮＯ）、又は、上記ファクシミリ通信機能のフラグ情報を設定した後は、ステップＳ４０５に移行する。
【００５３】
次に、ＣＰＵ２０１は、取得したＮＡＰＴＲレコードのＵＲＩスキームに基づいて、自装置のメール機能に対応して、ＩＰ端末１０２にメール機能が有るか否かを判別する（ステップＳ４０５）。この場合、図３に示したＮＡＰＴＲレコードのＵＲＩスキームには、「“！＾．＊＄！ｍａｉｌｔｏ：ｍａｉｌ＠ｊｐ．ｄｄｄｄ．ｃｏｍ”“メール”」が登録されており、メール機能に対応している。このため、ＣＰＵ２０１は、ＩＰ端末１０２にはメール機能が有ると判別し（ステップＳ４０５：ＹＥＳ）、メール機能が有効であることを示すフラグ情報として「メール表示ＯＮ」情報を、上記ＮＡＰＴＲレコード対応付けてＲＡＭ２０４に記憶する（ステップＳ４０６）。
【００５４】
また、ＣＰＵ２０１は、ＩＰ端末１０２にはメール機能が無いと判別した場合（ステップＳ４０５：ＮＯ）、又は、上記メール機能のフラグ情報を設定した後は、ステップＳ４０７に移行する。
【００５５】
次に、ＣＰＵ２０１は、取得したＮＡＰＴＲレコードのＵＲＩスキームに基づいて、ＩＰ端末１０２にＩＰ電話機能が有るか否かを判別する（ステップＳ４０７）。この場合、図３に示したＮＡＰＴＲレコードのＵＲＩスキームには、「“！＾．＊＄！ｓｉｐ：ｉｎｆｏ＠ｓｉｐ．ｄｄｄｄ．ｃｏｍ”“太郎電話”」が登録されており、ＩＰ電話機能に対応している。このため、ＣＰＵ２０１は、ＩＰ端末１０２にはＩＰ電話機能が有ると判別し（ステップＳ４０７：ＹＥＳ）、ＩＰ電話機能が有効であることを示すフラグ情報として「ＩＰ電話表示ＯＮ」情報を、上記ＮＡＰＴＲレコード対応付けてＲＡＭ２０４に記憶する（ステップＳ４０８）。
【００５６】
また、ＣＰＵ２０１は、ＩＰ端末１０２にはＩＰ電話機能が無いと判別した場合（ステップＳ４０７：ＮＯ）、又は、上記ＩＰ電話機能のフラグ情報を設定した後は、ステップＳ４０９に移行する。
【００５７】
次に、ＣＰＵ２０１は、ＲＡＭ２０４に記憶したフラグ情報「ＦＡＸ表示ＯＮ」、「メール表示ＯＮ」及び「ＩＰ電話表示ＯＮ」に基づいて、各通信機能の有効機能表示を表示部２０６に行う。この有効機能表示の一例を図５に示す。この有効機能表示により、ＩＰ端末１０１のユーザは、ＩＰ端末１０１に対応する発呼先ＩＰ端末１０２の有効な通信機能を知ることができる。
【００５８】
なお、図５の表示例では、ＩＰ端末１０２の電話番号「０５０１２３４５６７８」を表示した場合を示しており、ＩＰ電話による発呼が可能であることを示している。この場合、ＩＰ端末１０１のユーザは、キー入力部２０３のスタートボタン（図示せず）を押下することにより、ＩＰ端末１０２に対してＩＰ電話発信が可能になる。
【００５９】
次に、ＩＰ端末１０１のユーザによりキー入力部２０３のスタートボタンが押下されると、キー入力部２０３は、発呼指示信号をＣＰＵ２０１に出力する。ＣＰＵ２０１は、キー入力部２０３から発呼指示信号が入力されると、ＦＲＯＭ２０５に記憶されたＩＰ電話制御プログラムに基づいて、ＩＰ端末１０２に対するＩＰ電話としての発信処理を行う（ステップＳ４１０）。
【００６０】
この場合、ＣＰＵ２０１は、ＩＰ電話制御プログラムに基づいてＩＰネットワーク制御部２１０を制御し、ステップＳ４０２において取得したＮＡＰＴＲレコードを参照して、ＩＰ端末１０２との間でＳＩＰプロトコルに基づく呼接続手順及び通話開始手順を実行し、ＩＰ端末１０２との間の通話を可能にする。
【００６１】
次に、ＩＰ端末１０１のユーザにより読取部２０７の原稿読取台に原稿がセットされると（ステップＳ４１１）、読取部２０７は、原稿セット信号をＣＰＵ２０１に出力する。ＣＰＵ２０１は、読取部２０７から出力された原稿セット信号により、ファクシミリ通信機能を選択状態とし、表示部２０６の「ＦＡＸ」枠を選択状態として表示する（ステップＳ４１２）。図６に「ＦＡＸ」枠を選択状態（グレー表示）とした表示例を示す。この場合、ＩＰ端末１０１のユーザに対するメッセージとして「送信する場合はスタートボタンを押してください。」を表示している。
【００６２】
そして、ＩＰ端末１０１のユーザによりキー入力部２０３のスタートボタンが押下されると（ステップＳ４１３）、キー入力部２０３は、読取開始信号をＣＰＵ２０１に出力する。ＣＰＵ２０１は、キー入力部２０３から読取開始信号が入力されると、読取部２０７に読取開始信号を出力して、原稿読取走査を開始させる（ステップＳ４１４）。
【００６３】
読取部２０７は、ＣＰＵ２０１から読取開始信号が入力されると、原稿読取台にセットされた原稿を走査して原稿画像を読み取り、その原稿画像をデジタル画像データに変換してＣＰＵ２０１に出力する。ＣＰＵ２０１は、読取部２０７から入力されるデジタル画像データをＲＡＭ２０４に蓄積した後、ステップＳ４０２において取得したＮＡＰＴＲレコードからＩＰ端末１０２のＦＡＸ送信情報を取得する（ステップＳ４１５）。
【００６４】
次に、ＣＰＵ２０１は、ＦＲＯＭ２０５に記憶されたファクシミリ通信制御プログラムに基づいてＩＰネットワーク制御部２１０を制御し、ＲＡＭ２０４に蓄積したデジタル画像データをＩＰ端末１０２に送信する処理を実行して（ステップＳ４１６）、本処理を終了する。
【００６５】
以上のように、本実施の形態のＩＰ電話システムのＩＰ端末では、他のＩＰ端末への発呼に際して、ＥＮＵＭサーバから当該発呼先ＩＰ端末のＮＡＰＴＲレコードを取得し、このＮＡＰＴＲレコードに設定されたＵＲＩスキームに基づいて、自装置の通信機能に対応する通信機能が発呼先ＩＰ端末に設定されているか否かを判別する。そして、ＩＰ端末は、発呼先ＩＰ端末装置に設定されていると判別した１つ又は複数の通信機能を表示部に表示し、表示した通信機能に対応する操作が行われると、該通信機能に対応するＦＲＯＭに記憶した通信制御プログラムに基づいて発呼先ＩＰ端末装置との間の通信制御を開始する。
【００６６】
したがって、発呼元ＩＰ端末と発呼先ＩＰ端末の双方がＩＰ電話、ファクシミリ通信、メール通信等の複数の通信機能に対応する端末である場合、発呼元ＩＰ端末のユーザは、表示部に表示される通信機能により、自装置の通信機能に対応する発呼先ＩＰ端末の通信機能を確実に選択することができる。
【００６７】
その結果、発呼元ＩＰ端末のユーザは、発呼先ＩＰ端末の通信機能を調べる手間を省略することができ、誤った通信機能を選択するといった事態を防止することができる。
【００６８】
また、本実施の形態のＩＰ電話システムのＩＰ端末では、自装置の通信機能に対応する通信機能が発呼先ＩＰ端末に設定されていることを示すフラグ情報を、取得したＮＡＰＴＲレコードと対応付けてＲＡＭに記憶し、このフラグ情報に基づいて発呼先ＩＰ端末装置に設定されている１つ又は複数の通信機能を表示部に表示する。
【００６９】
したがって、発呼元ＩＰ端末において、発呼元ＩＰ端末と発呼先ＩＰ端末の双方で設定されている通信機能の表示制御を容易にすることができ、その表示制御負担を軽減することができる。
【００７０】
また、本実施の形態のＩＰ電話システムのＩＰ端末では、ＩＰ電話として発呼処理を実行した後、続けて読取部に原稿がセットされると、直ちにファクシミリ通信機能を選択状態にして、送信ボタンの押下によりファクシミリ通信を可能にした。
【００７１】
したがって、発呼元ＩＰ端末のユーザは、ＩＰ電話発信（第１の通信機能）からファクシミリ通信（第２の通信機能）に容易に移行することができ、ＩＰ電話からファクシミリ通信に移行する際の手間を軽減することができる。
【００７２】
なお、上記実施の形態のＩＰ端末では、発呼に際して、ＥＮＵＭサーバから取得したＮＡＰＴＲレコードと、このＮＡＰＴＲレコードに基づいて判別した発呼先ＩＰ端末の通信機能を示すフラグ情報をＲＡＭに記憶するようにしたが、これらのＮＡＰＴＲレコードとフラグ情報を発呼先ＩＰ端末との間の通信処理終了後に削除するようにしても良い。この場合、ＲＡＭの記憶領域をＮＡＰＴＲレコードとフラグ情報によって占有することなく、有効に利用することが可能になる。
【００７３】
また、ＲＡＭに記憶したＮＡＰＴＲレコードとフラグ情報を、他の不揮発性メモリに保存するようにすれば、同一の発呼先ＩＰ端末に再度発呼する際に、保存したフラグ情報に基づいて直ちに通信機能を表示することができ、ＥＮＵＭサーバからＮＡＰＴＲレコードを取得する処理を再度実行することを省略することも可能である。
【００７４】
また、上記実施の形態では、ＩＰ端末に設定される通信機能として、ＩＰ電話と、ファクシミリ通信と、メール通信を設定した場合を示したが、これ等の通信機能に限定するものではなく、その他の通信機能を設定する場合も本発明を適用可能である。
【００７５】
また、上記実施の形態では、ＩＰ電話からファクシミリ通信に移行する場合を示したが、例えば、ＩＰ電話からメール通信に移行する場合も同様に実現可能であり、その移行する通信機能を特に限定するものではない。
【００７６】
また、上記実施の形態では、ＩＰ端末１０１からＩＰ端末１０２に発呼する場合を示したが、ＩＰ端末１０２からＩＰ端末１０１に発呼する場合も同様の処理が実現可能である。
【産業上の利用可能性】
【００７７】
本発明に係るＩＰ端末装置によれば、発呼元ＩＰ端末装置のユーザが発呼先ＩＰ端末装置の通信機能を調べる手間を省略し、誤った通信機能を選択するといった事態を防止するＩＰ端末装置を提供できる点で有用である。
【図面の簡単な説明】
【００７８】
【図１】本発明の実施の形態に係るＩＰ通信システムの構成を示すブロック図
【図２】本実施の形態に係るＩＰ端末の構成を示すブロック図
【図３】本実施の形態に係るＥＮＵＭサーバのデータベースに記憶されるＮＡＰＴＲレコードの一例を示す図
【図４】本実施の形態に係るＩＰ端末の動作を説明するためのフローチャート図
【図５】本実施の形態に係るＩＰ端末に表示される通信機能の一例を示す図
【図６】本実施の形態に係るＩＰ端末に表示される通信機能移行時の一例を示す図
【符号の説明】
【００７９】
１００  ＩＰ通信システム
１０１，１０２  ＩＰ端末
１０３  ＥＮＵＭサーバ
１０４  ＤＮＳサーバ
１０５  ＷＥＢサーバ
１０６  ＩＰ網
２０１  ＣＰＵ
２０２  ハンドセット
２０３  キー入力部
２０４  ＲＡＭ
２０５  ＦＲＯＭ
２０６  表示部
２０７  読取部
２０８  記録部
２０９  外部Ｉ／Ｆ選択部
２１０  ＩＰネットワーク制御部
２１１  ＰＳＴＮ制御部
【図１】
2006109086.tif 000003
【図２】
2006109086.tif 000004
【図３】
2006109086.tif 000005
【図４】
2006109086.tif 000006
【図５】
2006109086.tif 000007
【図６】
2006109086.tif 000008